(57)【要約】【課題】保護金具の内側に異物が落下して入らないようにし、異物による感電事故や地絡事故を未然に防止するようにした柱上変圧器一次ブッシング保護金具の鳥害防止具を提供する。【解決手段】変圧器２０の外壁２０ａ面に一体に突設され一次側ブッシング２１の上方に近接して配置された平面Ｕ字型の保護金具Ｂに取着し該一次側ブッシング２１の上側を覆うようにした柱上変圧器一次ブッシング保護金具の鳥害防止具Ａ１，Ａ２であって、合成樹脂材により内部が中空をなしかつ下面が開放するキャップ状に成形し、内面に前記保護金具Ｂに取着する取着部４を配設し、天壁部１ｂ上面をその上面に木の実、柿等の異物Ｃが乗っても転がり落ちるような上向突形状に成形した構成からなる。【選択図】図９
2006319278.tif 000002
【特許請求の範囲】
【請求項１】
変圧器の外壁面に一体に突設され一次側ブッシングの上方に近接して配置された平面Ｕ字型の保護金具に取着し該一次側ブッシングの上側を覆うようにした柱上変圧器一次ブッシング保護金具の鳥害防止具であって、
合成樹脂材により内部が中空をなしかつ下面が開放するキャップ状に成形し、内面に前記保護金具に取着する取着部を配設し、天壁部上面をその上面に木の実、柿等の異物が乗っても転がり落ちるような上向突形状に成形したことを特徴とする柱上変圧器一次ブッシング保護金具の鳥害防止具。
【請求項２】
変圧器の外壁面に一体に突設され一次側ブッシングの上方に近接して配置された平面Ｕ字型の保護金具に取着し該一次側ブッシングの上側を覆うようにした柱上変圧器一次ブッシング保護金具の鳥害防止具であって、
合成樹脂材により内部が中空をなしかつ下面が開放するキャップ状に成形し、一側に前記中空内部と連通し前記保護金具が挿入される挿入口を開設すると共に内面に前記保護金具に取着する取着部を配設し、天壁部上面をその上面に木の実、柿等の異物が乗っても転がり落ちるような上向突形状に成形し、前記天壁部には前記中空内部と連通する所定形状の雨通し孔を複数開設したことを特徴とする柱上変圧器一次ブッシング保護金具の鳥害防止具。
【請求項３】
外側へやや斜め下方に張り出すスカート片部を下端周縁に沿って周設した請求項１又は２記載の柱上変圧器一次ブッシング保護金具の鳥害防止具。
【請求項４】
遠隔的に操作できる絶縁ヤットコで挟着するための保持片を外面に突設した請求項１又は２又は３記載の柱上変圧器一次ブッシング保護金具の鳥害防止具。
【発明の詳細な説明】
【技術分野】
【０００１】
本発明は、電柱上に設置された変圧器の外壁面に一次側ブッシングと共に突設された保護金具に取着し、該一次側ブッシングの上側を覆うようにした柱上変圧器一次ブッシング保護金具の鳥害防止具に関するものである。
【背景技術】
【０００２】
一般に、電柱上に設置される変圧器の一次側ブッシングは、その碍子本体に設けられた切欠部から高圧線と内部のターミナルとを接続するためのリード線を挿入し、該リード線端部を碍子本体内のターミナル螺子部に螺合される締付ナットにより締付固定している。ところが、その周辺部には充電部が外部に露出する大きな隙間が存在しており、このような隙間が存在すると充電部に作業員が誤って触れ感電事故を起こしたり、鳥や樹木の枝が触れることにより地絡事故が発生する危険性がある。そこで、前記一次側ブッシングに充電部周囲を覆う二つ割のブッシングカバーを嵌着するようにしている（例えば、特許文献１参照。）。
【特許文献１】実開平４−１１７４１３号公報（第１−２頁、図１）
【発明の開示】
【発明が解決しようとする課題】
【０００３】
一方、落雷があった場合、前記リード線を介して雷サージ電流が変圧器内部のターミナルに流れ込んで該ターミナルを破損させてしまう危険性もある。そこで、これを回避するため雷サージ電流を充電部から変圧器の外壁に伝わせ地中へ逃がすべく、図６に示すように変圧器の外壁面に前記一次側ブッシングの上方に近接させて別名「Ｕ字型アークホーン」と称される平面Ｕ字型の保護金具を一体に突設している。これにより、落雷によるターミナルの破損問題は解消されるものの、一次側ブッシングのほぼ真上に保護金具が位置することから、その一次側ブッシングが内側底面を被い保護金具内が受皿のような格好になっている。よって、例えば変圧器の上面に鳥が営巣し、しかも、その間に頻繁に飛来する鳥が運んできた木の実や柿などの異物が変圧器の上面から落下して偶然に前記保護金具の内側に入ると、一次側ブッシングの上面、正確にはブッシングカバーの上面に乗り留まってしまうことになる。
【０００４】
前記のように、ブッシングカバーの上面に長い間異物が留まっていると、その異物が風雨に曝されて腐敗しまたは雨水と混ざって泥状になり、前記二つ割のブッシングカバーの隙間から内部に侵入して充電部に至り、そこで固化してしまうことになる。このような状態では充電部が外部に露出していることと同じことになり、前記のように作業者の感電事故や鳥や樹木の枝による地絡事故が起こるおそれがある。これは、保護金具の内側に異物が落下して入ることに起因する。
【０００５】
そこで、本発明は上記課題を解決すべくなされたもので、保護金具の内側に異物が落下して入らないようにし、異物による感電事故や地絡事故を未然に防止するようにした柱上変圧器一次ブッシング保護金具の鳥害防止具を提供することを目的とするものである。
【課題を解決するための手段】
【０００６】
かかる目的を達成するため本発明の柱上変圧器一次ブッシング保護金具の鳥害防止具は、変圧器の外壁面に一体に突設され一次側ブッシングの上方に近接して配置された平面Ｕ字型の保護金具に取着し該一次側ブッシングの上側を覆うようにした柱上変圧器一次ブッシング保護金具の鳥害防止具であって、合成樹脂材により内部が中空をなしかつ下面が開放するキャップ状に成形し、内面に前記保護金具に取着する取着部を配設し、天壁部上面をその上面に木の実、柿等の異物が乗っても転がり落ちるような上向突形状に成形した構成からなる。
【０００７】
具体的には、本発明は、変圧器の外壁面に一体に突設され一次側ブッシングの上方に近接して配置された平面Ｕ字型の保護金具に取着し該一次側ブッシングの上側を覆うようにした柱上変圧器一次ブッシング保護金具の鳥害防止具であって、合成樹脂材により内部が中空をなしかつ下面が開放するキャップ状に成形し、一側に前記中空内部と連通し前記保護金具が挿入される挿入口を開設すると共に内面に前記保護金具に取着する取着部を配設し、天壁部上面をその上面に木の実、柿等の異物が乗っても転がり落ちるような上向突形状に成形し、前記天壁部には前記中空内部と連通する所定形状の雨通し孔を複数開設した構成が採られる。
【０００８】
この際、外側へやや斜め下方に張り出すスカート片部を下端周縁に沿って周設することが好ましい。
【０００９】
また、遠隔的に操作できる絶縁ヤットコで挟着するための保持片を外面に突設することが好ましい。
【発明の効果】
【００１０】
請求項１、２に係る柱上変圧器一次ブッシング保護金具の鳥害防止具は、合成樹脂材により内部が中空をなしかつ下面が開放するキャップ状に成形され、内面に保護金具に取着する取着部が配設され、天壁部上面はその上面に木の実、柿等の異物が乗っても転がり落ちるような上向突形状に成形されるので、保護金具に取着し一次側ブッシングの上側を覆うようにした状態では、前記鳥害防止具の上面に乗る異物はその上面に沿って下方へ転がり落ち、保護金具の内側すなわち一次側ブッシングの上面にそのまま異物が留まるようなことがなくなる。よって、これにより作業者の感電事故や鳥や樹木の枝による地絡事故を未然に防止することができるという効果がある。
【００１１】
また、請求項３に係る柱上変圧器一次ブッシング保護金具の鳥害防止具のように、外側へやや斜め下方に張り出すスカート片部を下端周縁に沿って周設するようにすれば、保護金具と一次側ブッシングとの間の隙間から保護金具内に鳥が侵入し難くできるという効果がある。
【００１２】
更に、請求項４に係る柱上変圧器一次ブッシング保護金具の鳥害防止具のように、遠隔的に操作できる絶縁ヤットコで挟着するための保持片を外面に突設するようにすれば、柱上変圧器一次ブッシング保護金具の鳥害防止具を遠隔操作することにより保護金具に取着でき、取付作業の安全性が高まるという効果がある。
【発明を実施するための最良の形態】
【００１３】
以下、本発明であって第一実施の形態に係る柱上変圧器一次ブッシング保護金具の鳥害防止具（以下、単に「鳥害防止具」という。）を図面に基づき説明する。図１は第一実施の形態に係る鳥害防止具の上から見た斜視図、図２は同下から見た斜視図、図３は同平面図、図４は図３のＸ−Ｘ線断面図、図５は図３のＹ−Ｙ線断面図をそれぞれ示す。
【００１４】
鳥害防止具Ａ１は、難燃性アクリル樹脂からなり、下面が開放した略キャップ状に成形される。胴壁部１ａの高さ寸法は後記する保護金具Ｂの高さとほぼ同じ高さに設定され、平面的に見て保護金具Ｂに合致する大きさに成形される。そして、一側に胴壁部１ａの内側である中空内部２と連通し前記保護金具Ｂが挿入される挿入口３が開設される。また、前記中空内部２には、胴壁部１ａの内面であって上縁と下縁との所定位置に、保護金具Ｂに取着するための取着部４が配設される。各取着部４はそれぞれ内側へほぼ水平に突設され、これら上下の取着部４，４間に保護金具Ｂが挿入されることになる。その内、中央の取着部４ａとその近傍両側の取着部４ｂ，４ｂとに互いに向き合う係止段部５，５，５が設けられ、それぞれの係止段部５，５，５が保護金具Ｂの上縁と下縁とに係合してその抜脱を防止するようにしている。
【００１５】
鳥害防止具Ａ１の天壁部１ｂの上面は、中央部を一番高くし上向突形状としての山形に成形され、その上面に木の実、柿等の異物が乗ってもこれら異物は簡単に転がり落ちるようになっている。また、天壁部１ｂに中空内部２と連通する雨通し孔６が複数本列設される。これら雨通し孔６はほとんど細長状に成形されかつ天壁部１ｂの上面の傾斜方向を向いている。これは、各雨通し孔６，６…を介して中空内部２内に雨を入れ込み、後記する一次側ブッシング２１の碍子本体２２表面の雨洗効果を図るためである。また、保護金具Ｂの内側に異物が落下して入り込まないようにする必要性が有ることから、前記各雨通し孔６の大きさは、それら異物の大きさを想定して幅や大きさが設定される。前記天壁部１ｂの上面は上向突形状であれば、例えば略円錐形または片側のみに下傾する傾斜面であっても良い。
【００１６】
また、中空内部２であって胴壁部１ａ内面の上縁に、前記各雨通し孔６に対応位置して平面的に見てそれぞれ各雨通し孔６を塞ぐような形状かつ大きさの邪魔片７が水平に突設されている。これは、いずれかの雨通し孔６を介して樹木の枝が中空内部２内に侵入すると共に一次側ブッシング２１の充電部２５に接触するのを邪魔して、地絡事故が発生しないようにするためである。また、一部の雨通し孔７にあっては前記取付部４ａ，４ｂ，４ｂにその機能を兼任させ、その部位には邪魔片７を設けないようにしても良い。
【００１７】
更に、前記胴壁部１ａの下端周縁から外側へやや斜め下方に張り出すスカート片部８が該下端周縁に沿って周設される。これは、一次側ブッシング２１と保護金具Ｂとの間から保護金具Ｂ内に鳥が侵入する場合、そこまでの距離を稼いでその隙間に入り難くするためである。また、挿入口３側の天壁部１ｂ側端縁間に比較的大きい空間９ができる。この空間９から中空内部２に鳥や小動物が侵入するおそれがある。そこで、その空間９を塞ぐべく、両端が胴壁部１ａの上縁に連結されかつ空間９を上下に２分するような山形状の閉塞板１０ａが設けられる。
【００１８】
第一実施の形態に係る鳥害防止具Ａ１は上記構成からなり、次にその使用方法を図６乃至図９に基き説明する。図６、図７において、２０は電柱Ｄ上の変圧器でありその外壁２０ａに一次側ブッシング２１が突設されている。この一次側ブッシング２１は、少し下傾した状態で保持され、碍子本体２２に挿通されるターミナル螺子部（図示せず。）に締付ナット２３を螺締めすることによりリード線２４端部を挟着固定するようにしている。また、碍子本体２２と締付ナット２３及びリード線２４の先端部、すなわち充電部２５を覆うようにして合成樹脂製のブッシングカバー２６が被着される。また、変圧器２０の外壁２０ａに一次側ブッシング２１の上方に近接位置するようにして保護金具Ｂが突設される。この保護金具Ｂは、帯板を平面Ｕ字型になるように屈曲させて成形され、外壁２０ａに水平に設置される。
【００１９】
そこで、鳥害防止具Ａ１を作業者が手に持ち天壁部１ｂを上にした状態で、鳥害防止具Ａ１を図６矢印方向へ移動させて挿入口３から前記鳥害防止具Ａ１を挿入する。そして、中空内部２の奥端部まで押し込み、各係止段部５を保護金具Ｂの上縁と下縁とにそれぞれ係止させる。これにより、図７乃至図９に示すように保護金具Ｂに鳥害防止具Ａ１が取着され、保護金具Ｂの上面は鳥害防止具Ａ１の山型の上面により覆われることになる。よって、仮に鳥が運んできた木の実や柿といった異物Ｃが保護金具Ｂ内側に落下するようなことがあっても、図９鎖線に示すようにそれら異物Ｃは天壁部１ｂの上面の傾斜に沿って下方へ落下してしまい、保護金具Ｂの内側に入って留まるようなことがない。よって、これにより作業者が接触することによる感電事故や鳥や樹木の枝の接触による地絡事故が未然に防止できる。
【００２０】
図１０乃至図１２は第二実施の形態に係る鳥害防止具を示すものであり、図１０は第二実施の形態に係る鳥害防止具の上から見た斜視図、図１１は同下から見た斜視図、図１２は同縦断側面図をそれぞれ示す。なお、この第二実施の形態に係る鳥害防止具Ａ２は前記第一実施の形態に係る鳥害防止具Ａ１と構成がほとんど同じであるから、第一実施の形態に係る鳥害防止具Ａ１と同一部位は同一番号を附って詳しい説明は省略する。第二実施の形態に係る鳥害防止具Ａ２には、挿入口３と対向する外面の他側に絶縁ヤットコ（図示せず。）で遠隔操作するため、該絶縁ヤットコの挟着部により挟着できる保持片１１がほぼ水平に突設されている。
【００２１】
なお、第二実施の形態に係る鳥害防止具Ａ２の一側すなわち挿入口３が開設された側面には、該挿入口３の上方であって天壁部１ｂの一側縁間を塞ぐ閉塞板１０ｂ張設される。この第２実施の形態に係る鳥害防止具Ａ２にあっては、第一実施の形態に係る鳥害防止具Ａ１に比べ天壁部１ｂの高さ寸法が高く、そのため挿入口３側の天壁部１ｂ側端縁間に比較的大きい空間１２ができる。よって、この場合もその空間１２から中空内部２に鳥や小動物が侵入しないようにするため壁状の閉塞板１０ｂが設けられる。また、第二実施の形態に係る鳥害防止具Ａ２には第一実施の形態に係る鳥害防止具Ａ１のような邪魔片７とスカート片部８が設けられていない。
【００２２】
第二実施の形態に係る鳥害防止具Ａ２も第一実施の形態の鳥害防止具Ａ１と同様にして保護金具Ｂに取着して使用される。ただ、第二実施の形態に係る鳥害防止具Ａ２は絶縁ヤットコで保持片１１を挟むことによって遠隔操作により保護金具Ｂに取着できることから、作業上の安全性が高められる。
【図面の簡単な説明】
【００２３】
【図１】第一実施の形態に係る鳥害防止具の上から見た斜視図。
【図２】同下から見た斜視図。
【図３】同平面図。
【図４】図３のＸ−Ｘ線断面図。
【図５】図３のＹ−Ｙ線断面図。
【図６】鳥害防止具を保護金具に取着する状態の斜視図。
【図７】鳥害防止具を保護金具に取着した状態の斜視図。
【図８】鳥害防止具を保護金具に被着した状態の縦断面図。
【図９】鳥害防止具を保護金具に被着した状態の横断面図。
【図１０】第二実施の形態に係る鳥害防止具の上から見た斜視図。
【図１１】第二実施の形態に係る鳥害防止具の下から見た斜視図。
【図１２】同縦断面図。
【符号の説明】
【００２４】
１ｂ              天壁部
２                中空内部
３                挿入口
４                取着部
６                雨通し孔
８                スカート片部
１１              保持片
２０              変圧器
２０ａ            外壁
２１              一次側ブッシング
Ａ１              鳥害防止具
Ａ２              鳥害防止具
Ｂ                保護金具
Ｃ                異物
【図１】
2006319278.tif 000003
【図２】
2006319278.tif 000004
【図３】
2006319278.tif 000005
【図４】
2006319278.tif 000006
【図５】
2006319278.tif 000007
【図６】
2006319278.tif 000008
【図７】
2006319278.tif 000009
【図８】
2006319278.tif 000010
【図９】
2006319278.tif 000011
【図１０】
2006319278.tif 000012
【図１１】
2006319278.tif 000013
【図１２】
2006319278.tif 000014